(57)【要約】      （修正有）【課題】テーブルの上面に掛止可能で、かつ装置のコンパクト化、低コスト化が図れ、作業時に発生した固体物、異臭を含む気体の吸引の他に、液体を使用した口腔外作業時に、使用済み液体も吸引可能な歯科口腔外作業用のフード付簡易吸引トレイを提供する。【解決手段】底板１６の一部が、下面が平坦な台掛け置き部１７となったトレイ本体１８と、底板１６の台掛け置き部１７を除く部分に取り付けられ、かつトレイ本体１８を歯科用吸引装置の吸引ホース１４に連通する連通管１９と、トレイ本体１８の周側板２０の上縁部に立設され、口腔外作業中に発生した飛散物質の飛散を防ぐ飛散防止用フード２１とを備えた。これにより、テーブルの上面に台掛け置き部１７を引っかけて載置した安定的な姿勢でフード付簡易吸引トレイ１０を利用でき、装置のコンパクト化、低コスト化が図れる。作業時に発生した固体物、気体の吸引の他、使用済み液体も吸引できる。【選択図】図１
2014100177.tif 000002
【特許請求の範囲】
【請求項１】
底板の一部が、下面が平坦な台掛け置き部となったトレイ本体と、
前記底板の台掛け置き部を除く部分に、前記トレイ本体の内部空間と連通して取り付けられ、かつ前記トレイ本体を歯科用吸引装置の吸引ホースに連通する連通管と、
前記トレイ本体の周側板の上縁部に立設され、義歯調整を含む口腔外作業中に発生した飛散物質の飛散を防ぐ飛散防止用フードとを備え、
前記台掛け置き部を、前記義歯調整を含む口腔外作業を行う作業テーブルに引っかけた載置状態で使用する歯科口腔外作業用のフード付簡易吸引トレイ。
【請求項２】
前記周側板の上縁部のうち、前記飛散防止用フードの幅方向の両端部との連結部分に、なだらかに凹んだ指置き部が配置された請求項１に記載の歯科口腔外作業用のフード付簡易吸引トレイ。
【発明の詳細な説明】
【技術分野】
【０００１】
この発明は歯科口腔外作業用のフード付簡易吸引トレイ、詳しくは口腔外において義歯調整などの研削作業や義歯の洗浄作業を行う際に、研削片、洗浄水などが周辺に飛散することなく、円滑に作業を行える義歯調整作業用吸引フードに関する。
【背景技術】
【０００２】
歯科治療室では、口腔外で義歯調整などの研削作業を行ったり、医療用トレイなどを受け皿とし、研削した義歯の洗浄などの口腔外作業が行われている。その際、研削中に飛散した義歯の研削片や研削粉、洗浄時に義歯にかけられた洗浄水の水滴が、歯科治療室に浮遊したり床に落下し、これらを原因として、人間の口腔内に繁殖する種々の口腔常在微生物が歯科治療室で繁殖し、歯科治療がきっかけとなって口腔常在微生物による２次感染が発生するおそれがあった。
これを解消する従来技術として、例えば特許文献１の「歯治療飛散物質吸引装置用自在パイプアーム装置」が知られている。この従来装置は、歯治療飛散物質吸引装置の吸込口を自由に移動可能な自在アームと、自在アームの一端側を構成する自在アーム取付パイプの下端が着脱自在に嵌合可能な吸引パイプが略鉛直上方に向けて立設された基台とを備えている。
これによる口腔外での義歯調整時には、歯科医が自在アームを手で移動操作し、吸引口を歯科用ユニット近くの義歯調整用のテーブルの上方に配置する。その後、歯治療飛散物質吸引装置を作動することで、ハンドピースなどによる義歯調整を行う。その結果、義歯調整時に飛散した義歯の研削片や研削粉などを、吸引口から自在アームを通して歯治療飛散物質吸引装置に吸引することができる。
【特許文献１】特開２００８−２８９６５０号公報
【発明の概要】
【発明が解決しようとする課題】
【０００３】
しかしながら、特許文献１にあっては、吸込口を移動させる自在アームと、自在アーム取付パイプの下端が着脱される吸引パイプが立設された基台とが必須の構成要件であったため、自在パイプアーム装置を含む吸引装置全体が大型化するとともに、価格も高騰していた。
さらに、特許文献１の「歯治療飛散物質吸引装置用自在パイプアーム装置」には、義歯洗浄後に発生する使用済み洗浄水の吸引機能を備えておらず、従前と同じように使用済み洗浄水を溜める医療用トレイなどの受け皿が必要であった。
【０００４】
この発明は、テーブルの上面に掛止可能で、かつ吸引装置全体のコンパクト化および低コスト化が図れるとともに、作業時に発生した固体物、異臭を含む気体の吸引だけでなく、各種の液体を使用した口腔外作業時に、使用済み液体も吸引処理することができる歯科口腔外作業用のフード付簡易吸引トレイを提供することを目的としている。
【課題を解決するための手段】
【０００５】
請求項１に記載の発明は、底板の一部が、下面が平坦な台掛け置き部となったトレイ本体と、前記底板の台掛け置き部を除く部分に、前記トレイ本体の内部空間と連通して取り付けられ、かつ前記トレイ本体を歯科用吸引装置の吸引ホースに連通する連通管と、前記トレイ本体の周側板の上縁部に立設され、義歯調整を含む口腔外作業中に発生した飛散物質の飛散を防ぐ飛散防止用フードとを備え、前記台掛け置き部を、前記義歯調整を含む口腔外作業を行う作業テーブルに引っかけた載置状態で使用する歯科口腔外作業用のフード付簡易吸引トレイである。
【０００６】
また、請求項２に記載の発明は、前記周側板の上縁部のうち、前記飛散防止用フードの幅方向の両端部との連結部分に、なだらかに凹んだ指置き部が配置された請求項１に記載の歯科口腔外作業用のフード付簡易吸引トレイである。
【０００７】
請求項１に記載の発明によれば、歯科用吸引装置の吸引ホースに連通管を介して連通されたフード付簡易吸引トレイは、例えば義歯調整用の作業時において、作業テーブルの端に、下面が平坦な台掛け置き部を引っ掛けて、フード付簡易吸引トレイを作業テーブルに取り付ける。これにより、フード付簡易吸引トレイの使用時の姿勢が安定する。その後、トレイ本体の内部空間で義歯の切削、研削および研磨などの調整作業を行ったり、洗浄水による義歯の洗浄などを行う。その際に発生した義歯片、義歯粉、使用済み洗浄水などの飛散物質は、飛散防止フードによってトレイ外への飛散を防ぎながら、歯科用吸引装置により発生した負圧力によって、吸引ホースおよび連通管を通して歯科用吸引装置に吸引される。なお、吸引しきれなかった例えば大型の義歯片などは、フード付簡易吸引トレイの底板の上に溜まる。
これにより、従来の吸引装置に比べて、吸引装置全体のコンパクト化および低コスト化が図れるとともに、口腔外作業時に発生した義歯片、義歯粉などの固体物および作業時に発生した異臭やガスなどを吸引するだけでなく、その作業時に使用した洗浄水などの使用済み液体も、従来の医療用トレイなどを用いず、外部飛散させることなく吸引できる。
【０００８】
特に、請求項２に記載の発明によれば、口腔外作業時、作業者の指を周側板の上縁部のうち、飛散防止用フードの幅方向の両端部との連結部分の指置き部に指を置いて（掛けて）作業を行えるため、長時間にわたって口腔外作業を行っても作業中の手が疲れにくい。
【０００９】
ここでいう「歯科口腔外作業」とは、例えば義歯調整作業、補綴物研磨作業、洗浄作業などを採用することができる。「歯科口腔外作業」を行う作業者としては、例えば、歯科医、歯科衛生士、歯科技工士などが挙げられる。
ここでいう「飛散物質」としては、例えば義歯調整作業中に発生する義歯片、義歯粉、使用済み洗浄水などが挙げられる。
また、「歯科口腔外作業用のフード付簡易吸引トレイ」とは、歯科用吸引装置の吸引ホースに連通され、かつ歯科口腔外作業中に作業台に掛止して使用するものであるとともに、作業中に発生した飛散物質を歯科用吸引装置の負圧力によって捕集して吸引ホースに導く、飛散防止フード付きのトレイ（カバー）である。
【００１０】
トレイ本体は、底板と、底板の外周縁から立ち上がる周板とから構成されている。トレイ本体の素材としては、例えば、各種のプラスチック、各種の金属などを採用することができる。汚れが見え易くて高級感および清潔感が高まるように、トレイ本体は透明または半透明でもよい。これにより、殺菌および消毒がし易くなる。トレイ本体の形状としては、例えば、平面視して四角形、円形、楕円形など任意である。
トレイ本体のサイズは、片手で持てる程度である。
「台掛け置き部」とは、フード付簡易吸引トレイを作業テーブルの上面の端部に引っ掛けて載置する際に利用される、トレイ本体の一部分である。台掛け置き部の底板の下面（裏面）は、台掛け置き部を作業テーブルに引っ掛けたとき、フード付簡易吸引トレイの載置状態が安定するように、平坦（平らな面）である。台掛け置き部の上面は平面、湾曲面の何れでもよい。
【００１１】
歯科用吸引装置とは、歯科医療に使用される負圧力発生装置（バキューム装置）である。
ここでいう吸引ホースとは、フード付簡易吸引トレイ専用のものでも、歯科治療中に口腔内で発生した唾液や飛散物質などを吸引する一般的な口腔内用の吸引ホースでもよい。
連通管の素材としては、例えば、トレイ本体の素材と同様のものを採用することができる。連通管も汚れが解り易いように、透明または半透明でもよい。連通管は、トレイ本体と一体に設けても、別体で設けてトレイ本体に着脱自在に設けてもよい。連通管としては、例えば全長にわたって断面積が一定のストレート管の他に、上方（底板との連通方向）に向かって徐々に拡径する漏斗状のものなどを採用することができる。連通管は、内径が異なる吸引ホースに適合するように、先端に向かうほど段階的に口径が小さくなるように形成してもよい。
飛散防止用フードは、トレイ本体の周側板の上縁部の一部から立ち上がった板材である。飛散防止用フードの素材としては、例えば、トレイ本体および連通管の素材と同様のものを採用することができる。飛散防止用フードは、汚れがわかり易いように透明または半透明でもよい。飛散防止用フードは、トレイ本体と一体的に設けても、別体で設けてトレイ本体に着脱自在に取り付けてもよい。飛散防止用フードの形状としては、例えば、平板の他に、開口側がトレイ本体の内側に向いた平面視して樋状（例えば円弧状、コの字状、Ｃ字状）などを採用することができる。
【００１２】
ここでいう「指置き部」とは、フード付簡易吸引トレイのうち、歯科口腔外作業中に作業者が指をかけて、手を休められる部分である。
ここでいう「周側板の上縁部のうち、飛散防止用フードの幅方向の両端部との連結部分に、なだらかに凹んだ」とは、周側板の上縁のラインと飛散防止用フードの幅方向の両端のラインとが交わる部分において、所定の角度（鋭角、直角、鈍角）で屈曲するのではなく、ゆるやかに連続するように（円弧状など）凹形に湾曲している状態をいう。
「指置き部」の大きさおよび形状としては、例えば、成人男性の指を掛けられる大きさの、なだらかな凹部などを採用することができる。指置き部の上縁には、指置き状態がさらに安定するように、例えば（幅０．５ｃｍ〜３ｃｍ）の内フランジ部または外フランジ部を設けてもよい。
【発明の効果】
【００１３】
請求項１に記載の発明によれば、歯科用吸引装置の吸引ホースに連通管を介して連通されたフード付簡易吸引トレイは、例えば義歯調整用の作業時において、作業テーブルの端に、下面が平坦な台掛け置き部を引っ掛けて、フード付簡易吸引トレイを作業テーブルに取り付ける。これにより、フード付簡易吸引トレイの使用時の姿勢を安定させることができる。その後、トレイ本体の内部空間で義歯の切削、研削および研磨などの調整作業を行ったり、洗浄水による義歯の洗浄などを行う。その際に発生した義歯片、義歯粉、使用済み洗浄水などの飛散物質は、飛散防止フードによりトレイ外への飛散を防ぎながら、歯科用吸引装置により発生した負圧力によって、吸引ホースおよび連通管を通して歯科用吸引装置に吸引される。なお、吸引できなかった大型の義歯片などは、フード付簡易吸引トレイの底板の上に溜まる。
これにより、従来の吸引装置に比べて、吸引装置全体のコンパクト化および低コスト化が図れるとともに、口腔外作業時に発生した義歯片、義歯粉などの固体物および作業時に発生した異臭やガスなどの吸引だけでなく、その作業時に使用した洗浄水などの使用済み液体も、従来の医療用トレイなどを使用することなく、外部飛散させずに吸引することができる。
【００１４】
特に、請求項２に記載の発明によれば、口腔外作業時に、作業者の指を周側板の上縁部のうち、飛散防止用フードの幅方向の両端部との連結部分の指置き部に指を置いて作業を行える。これにより、長時間にわたって口腔外作業を行っても作業中の手が疲れにくい。
【図面の簡単な説明】
【００１５】
【図１】この発明の実施例１に係る歯科口腔外作業用のフード付簡易吸引トレイの斜視図である。
【図２】この発明の実施例１に係る歯科口腔外作業用のフード付簡易吸引トレイが掛止された歯科ユニットの全体斜視図である。
【図３】この発明の実施例１に係る歯科口腔外作業用のフード付簡易吸引トレイを義歯調整用の作業テーブルに引っかけて載置した状態を示す縦断面図である。
【図４】この発明の実施例１に係る歯科口腔外作業用のフード付簡易吸引トレイを使用した義歯研削作業状態を示す平面図である。
【図５】この発明の実施例１に係る歯科口腔外作業用のフード付簡易吸引トレイを使用した義歯洗浄作業状態を示す平面図である。
【図６】この発明の実施例１に係る別の歯科口腔外作業用のフード付簡易吸引トレイの斜視図である。
【発明を実施するための形態】
【００１６】
以下、この発明の実施例を具体的に説明する。ここでは、説明の都合上、Ｘ１方向がフード付簡易吸引トレイの前方向、Ｘ２方向がフード付簡易吸引トレイの後方向、Ｙ１方向がフード付簡易吸引トレイの左方向、Ｙ２方向がフード付簡易吸引トレイの右方向、Ｚ１方向がフード付簡易吸引トレイの下方向、Ｚ２方向がフード付簡易吸引トレイの上方向とする。
【実施例】
【００１７】
図１および図２において、１０はこの発明の実施例１に係る歯科口腔外作業用のフード付簡易吸引トレイ（以下、簡易吸引トレイ）で、この簡易吸引トレイ１０は、歯科用ユニット１１に組み込まれた歯科用吸引装置１３の吸引ホース１４に装着され、歯科用ユニット１１のノズルホルダ１５に着脱自在に保持されている。
簡易吸引トレイ１０は、底板１６の一部が、下面が平坦な台掛け置き部１７となったトレイ本体１８と、底板１６の台掛け置き部１７を除く部分に、トレイ本体１８の内部空間と連通して取り付けられ、かつトレイ本体１８を歯科用吸引装置１３の吸引ホース１４に連通する連通管１９と、トレイ本体１８の周側板２０の上縁部に立設され、義歯調整を含む口腔外作業中に発生した飛散物質ａの飛散を防ぐ飛散防止用フード２１とを備えたものである（図４）。これらの構成部品は、すべて合成樹脂により一体成形されている。
【００１８】
以下、図１および図３を参照して、各構成部品を具体的に説明する。
トレイ本体１８は、平面視してＸ１−Ｘ２方向に長い略矩形状の底板１６と、底板１６の周縁部から立ち上がる周側板２０とからなる皿状容器（受け皿）である。ただし、底板１６は、そのＸ１−Ｘ２方向の中間部の幅が通常の部分より短くなるように、なだらかに変形している。また、周側板２０は、全周にわたり上方に向かうほど徐々に外方に傾斜している（図３）。
底板１６の長さ（Ｘ１−Ｘ２方向の最大長さ）は６ｃｍ〜８ｃｍ、底板１６の幅（Ｙ１−Ｙ２方向の最大長さ）は２ｃｍ〜６ｃｍ）である。底板１６のくびれ部分（細くなった部分）の幅は、１．５ｃｍ〜５ｃｍである。
【００１９】
底板１６のＸ２側の端部には、そのＹ１−Ｙ２方向の中間部に前記連通管１９の上端が、トレイ本体１８の内部空間と連通状態で取り付けられている。周側板２０の高さは、０．５ｃｍ〜６ｃｍである。したがって、トレイ本体１８、さらに簡易吸引トレイ１０は略掌サイズである。
連通管１９は、上方に向かうほど徐々に拡径する漏斗（ラッパ）形状の管体である。連通管１９は、前記合成樹脂からなる吸引ホース１４の先端部に挿入される。
飛散防止用フード２１は、周側板２０のＸ２側の部分の上縁部に立設され、Ｘ２方向に向かうほど徐々に幅が短い花弁状の板である。
また、周側板２０の上縁部のうち、飛散防止用フード２１の幅方向の両端部との連結部分には、成人男性の指が収まる程度のサイズで、なだらかに凹んだ指置き部２２が配置（形成）されている。図３に示すように、周側板２０の上縁部のうち、指置き部２２が配設される部分は、底板１６の台掛け置き部１７の領域とした方が好ましい。これにより、指置き状態での作業中、指置き部２２に作用した力を、台掛け置き部１７を介して直下の作業テーブルＴが直接受ける。そのため、作業中に飛散防止用フード２１が作業テーブルＴから外れにくくなる。
【００２０】
次に、この発明の実施例１に係るフード付簡易吸引トレイ１０の使用し、口腔外での義歯調整方法を説明する。
図１〜図３に示すように、歯科用吸引装置１３の吸引ホース１４に連通管１９を介して連通されたフード付簡易吸引トレイ１０を、下面が平坦な台掛け置き部１７をテーブル上板の端に引っ掛けることで、作業テーブルＴに取り付ける。これにより、フード付簡易吸引トレイ１０の使用時の姿勢を安定させることができる。
その後、トレイ本体１８の内部空間で義歯２３の切削、研削および研磨などの調整作業をハンドピースＨにより行う（図４）。また、洗浄水による義歯２３の洗浄を行う（図５）。
これらの口腔外作業時に発生した義歯片、義歯粉、使用済み洗浄水などの飛散物質ａは、飛散防止フード２１によりトレイ外への飛散を防ぎながら、歯科用吸引装置１３により発生した負圧力によって、吸引ホース１４および連通管１９を経て、歯科用吸引装置１３に吸引される。なお、吸引できなかった大型の義歯片などは、フード付簡易吸引トレイ１０の底板１６の上に溜まる。
【００２１】
これにより、従来の吸引装置に比べて、吸引装置全体のコンパクト化および低コスト化が図れる。しかも、口腔外作業時に発生した義歯片、義歯粉などの固体物および作業時に発生した異臭やガスなどの吸引だけでなく、その作業時後の使用済み洗浄水も、従来法での医療用トレイなどを使用することなく、外部飛散させずに吸引することができる。
また、口腔外作業時には、作業者の指を周側板２０の上縁部のうち、飛散防止用フード２１の幅方向の両端部との連結部分の指置き部２２に指を置いて作業を行うことができる。これにより、長時間にわたって口腔外作業を行っても作業中の手が疲れにくい。
【００２２】
次に、図６を参照して、この発明の実施例２に係る歯科口腔外作業用のフード付簡易吸引トレイを説明する。
図６に示すように、この発明の実施例２に係る簡易吸引トレイ１０Ａは、例えば、義歯調整中に発生した大型の義歯片が連通管に侵入して管を塞がないようにするため、連通管１９の上端の開口部に、平面視して十字状の異物侵入防止枠３０を取り付けた点を特徴としている。異物侵入防止枠３０は、連通管１９に着脱自在としてもよい。また、より細かい義歯片も捕獲できるように、十字状の異物侵入防止枠３０に代えて、連通管１９の上側の開口部に、異物侵入防止ネット（茶漉し状のネット）を着脱自在または固定状態で装着してもよい。
その他の構成および作用は、実施例１と同じであるため、説明を省略する。
【産業上の利用可能性】
【００２３】
この発明は、口腔外で行う義歯調整などの作業を衛生的、かつ効率よく行う技術として有用である。
【符号の説明】
【００２４】
１０、１０Ａ  歯科口腔外作業用のフード付簡易吸引トレイ、
１３  歯科用吸引装置、
１４  吸引ホース、
１６  底板、
１７  台掛け置き部、
１８  トレイ本体、
１９  連通管、
２０  周側板、
２１  飛散防止用フード、
２２  指置き部。
Ｔ  作業テーブル、
ａ  飛散物質。
【図１】
2014100177.tif 000003
【図２】
2014100177.tif 000004
【図３】
2014100177.tif 000005
【図４】
2014100177.tif 000006
【図５】
2014100177.tif 000007
【図６】
2014100177.tif 000008
【手続補正書】
【提出日】平成25年4月1日(2013.4.1)
【手続補正１】
【補正対象書類名】特許請求の範囲
【補正対象項目名】全文
【補正方法】変更
【補正の内容】
【特許請求の範囲】
【請求項１】
歯科用ユニットに組み込まれた歯科用吸引装置の吸引ホースに装着されるとともに、該歯科用ユニットのノズルホルダに着脱自在に保持された口腔外作業用のフード付簡易吸引トレイであって、
内部空間で口腔外作業を行うトレイ本体と、
前記トレイ本体の内部空間及び前記吸引ホースを連通する連通管と、
口腔外作業中に発生した飛散物質の飛散を防止する飛散防止用フードと、が合成樹脂により一体成形され、
前記トレイ本体は、平面視してＸ１−Ｘ２方向に長く、該Ｘ１−Ｘ２方向と直交するＹ１−Ｙ２方向に短い略矩形状の底板と、
前記底板の周縁部から立ち上がり、上方に向かって徐々に外方に傾斜した周側板と、からなり、
前記底板には、その下面の一部が平坦な台掛け置き部が形成され、
前記連通管は、前記底板から下方に向かって延び、該連通管が該底板の前記Ｘ１−Ｘ２方向におけるＸ２側の端部でかつ、前記Ｙ１−Ｙ２方向の中間部に取り付けられ、
前記連通管は、上方に向かって徐々に拡径した漏斗形状の管体であり、
前記飛散防止用フードは、前記周側板の連通管側の上縁部に立設され、外方に向かって徐々に前記Ｙ１−Ｙ２方向の長さが短い花弁状の板からなり、
前記周側板の上縁部のうち、前記飛散防止用フードの前記Ｙ１−Ｙ２方向の両端部との連結部分に、なだらかに凹んだ指置き部が前記台掛け置き部の領域に配置され、
前記底板の前記Ｘ１−Ｘ２方向の最大長さは６ｃｍ〜８ｃｍ、該底板の前記Ｙ１−Ｙ２方向の最大長さは２ｃｍ〜６ｃｍであり、
前記台掛け置き部を作業テーブルの上面の端部に引っ掛けて載置することにより、上記口腔外作業を行う歯科口腔外作業用のフード付簡易吸引トレイ。
【手続補正２】
【補正対象書類名】明細書
【補正対象項目名】０００５
【補正方法】変更
【補正の内容】
【０００５】
請求項１に記載の発明は、歯科用ユニットに組み込まれた歯科用吸引装置の吸引ホースに装着されるとともに、該歯科用ユニットのノズルホルダに着脱自在に保持された口腔外作業用のフード付簡易吸引トレイであって、内部空間で口腔外作業を行うトレイ本体と、前記トレイ本体の内部空間及び前記吸引ホースを連通する連通管と、口腔外作業中に発生した飛散物質の飛散を防止する飛散防止用フードと、が合成樹脂により一体成形され、前記トレイ本体は、平面視してＸ１−Ｘ２方向に長く、該Ｘ１−Ｘ２方向と直交するＹ１−Ｙ２方向に短い略矩形状の底板と、前記底板の周縁部から立ち上がり、上方に向かって徐々に外方に傾斜した周側板と、からなり、前記底板には、その下面の一部が平坦な台掛け置き部が形成され、前記連通管は、前記底板から下方に向かって延び、該連通管が該底板の前記Ｘ１−Ｘ２方向におけるＸ２側の端部でかつ、前記Ｙ１−Ｙ２方向の中間部に取り付けられ、前記連通管は、上方に向かって徐々に拡径した漏斗形状の管体であり、前記飛散防止用フードは、前記周側板の連通管側の上縁部に立設され、外方に向かって徐々に前記Ｙ１−Ｙ２方向の長さが短い花弁状の板からなり、前記周側板の上縁部のうち、前記飛散防止用フードの前記Ｙ１−Ｙ２方向の両端部との連結部分に、なだらかに凹んだ指置き部が前記台掛け置き部の領域に配置され、前記底板の前記Ｘ１−Ｘ２方向の最大長さは６ｃｍ〜８ｃｍ、該底板の前記Ｙ１−Ｙ２方向の最大長さは２ｃｍ〜６ｃｍであり、前記台掛け置き部を作業テーブルの上面の端部に引っ掛けて載置することにより、上記口腔外作業を行う歯科口腔外作業用のフード付簡易吸引トレイである。
【手続補正３】
【補正対象書類名】明細書
【補正対象項目名】０００６
【補正方法】削除
【補正の内容】
【手続補正４】
【補正対象書類名】明細書
【補正対象項目名】０００８
【補正方法】変更
【補正の内容】
【０００８】
特に、口腔外作業時、作業者の指を周側板の上縁部のうち、飛散防止用フードの幅方向の両端部との連結部分の指置き部に指を置いて（掛けて）作業を行えるため、長時間にわたって口腔外作業を行っても作業中の手が疲れにくい。
【手続補正５】
【補正対象書類名】明細書
【補正対象項目名】００１１
【補正方法】変更
【補正の内容】
【００１１】
歯科用吸引装置とは、歯科医療に使用される負圧力発生装置（バキューム装置）である。
ここでいう吸引ホースとは、フード付簡易吸引トレイ専用のものでも、歯科治療中に口腔内で発生した唾液や飛散物質などを吸引する一般的な口腔内用の吸引ホースでもよい。
連通管の素材としては、例えば、トレイ本体の素材と同様のものを採用することができる。連通管も汚れが解り易いように、透明または半透明でもよい。連通管は、トレイ本体と一体に成形されている。連通管としては、上方（底板との連通方向）に向かって徐々に拡径する漏斗状のものを採用する。連通管は、内径が異なる吸引ホースに適合するように、先端に向かうほど段階的に口径が小さくなるように形成してもよい。
飛散防止用フードは、トレイ本体の周側板の上縁部の一部から立ち上がった板材である。飛散防止用フードの素材としては、例えば、トレイ本体および連通管の素材と同様のものを採用することができる。飛散防止用フードは、汚れがわかり易いように透明または半透明でもよい。飛散防止用フードは、トレイ本体と一体的に成形されている。飛散防止用フードの形状としては、例えば、平板の他に、開口側がトレイ本体の内側に向いた平面視して樋状（例えば円弧状、コの字状、Ｃ字状）などを採用することができる。
【手続補正６】
【補正対象書類名】明細書
【補正対象項目名】００１４
【補正方法】変更
【補正の内容】
【００１４】
特に、口腔外作業時に、作業者の指を周側板の上縁部のうち、飛散防止用フードの幅方向の両端部との連結部分の指置き部に指を置いて作業を行える。これにより、長時間にわたって口腔外作業を行っても作業中の手が疲れにくい。